(57)【要約】【課題】カバー部材が塑性変形することを防止できる表示装置を提供すること。【解決手段】表示器本体２に設けられた係合部２０に係合する係合ツメ１２が設けられたカバー部材１０を備えた表示装置１であって、この係合ツメ１２は表示器本体２に向かって延在したツメ本体１３と、このツメ本体１３先端部から突出した突出部１４とを有し、係合部２０は係合ツメ１２の延在方向と直交する方向に沿って立設し且つ互いに対向する第一、第二当接面２２，２３を有し、この第一、第二当接面２２，２３の少なくとも一方が係合ツメ１２の延在方向に沿って弾性変形し、第一、第二当接面２２，２３間に突出部１４を狭持する。【選択図】図２
2009264816.tif 000002
【特許請求の範囲】
【請求項１】
表示面を有すると共に該表示面の周縁部に複数の係合部が設けられた表示器本体と、前記表示面を覆う透明カバー面を有すると共に該透明カバー面の周縁部に前記複数の係合部のそれぞれに係合する複数の係合ツメが設けられたカバー部材とを備えた表示装置であって、
前記複数の係合ツメは、それぞれ前記透明カバー面の前記周縁部から前記表示器本体に向かって延在したツメ本体と、該ツメ本体の先端部からこのツメ本体の延在方向と直交する方向に突出した突出部とを有し、
一方、前記複数の係合部は、それぞれ前記係合ツメの延在方向に直交する方向に沿って立設し、且つ互いに対向する第一、第二当接面を有し、
この第一、第二当接面間に前記突出部が入り込んだ際に、該記第一、第二当接面の少なくともどちらか一方が前記係合ツメの延在方向に沿って弾性変形して前記突出部を狭持し、前記ツメ本体に応力が作用しない状態で前記係合ツメと前記係合部とが係合することを特徴とする表示装置。
【発明の詳細な説明】
【技術分野】
【０００１】
本発明は、表示面の周縁部に係合部が設けられた表示器本体と、表示面を覆う透明カバー面の周縁部に係合ツメが設けられたカバー部材とを備えた表示装置に関するものである。
【背景技術】
【０００２】
従来から、表示器本体の表示面をカバー部材の透明カバー面で覆う際に、表示面の周縁部に設けられた係合部と透明カバー面の周縁部に設けられた係合ツメとを係合させる表示装置が知られている（例えば、特許文献１参照）。
【０００３】
この表示装置では、係合ツメが透明カバー面の周縁部から延在されたツメ本体と、このツメ本体の先端部に突設された突出部とを有しており、ツメ本体が基部を中心に回動するように弾性変形し、このツメ本体の弾性力により突出部が係合部に係合して上記係合部と係合ツメとが係合するようになっている。
【特許文献１】特開２００５−３０８４２９号公報
【発明の開示】
【発明が解決しようとする課題】
【０００４】
ところで、上述の表示装置では、係合ツメのツメ本体が基部を中心に回動するように弾性変形するため、カバー部材の透明カバー面にツメ本体の変形による応力（負荷）が作用し、カバー部材全体に表示器本体から離間する方向の応力がかかっていた。
【０００５】
そのため、気温変化等に伴って生じる熱応力がこのカバー部材に繰り返し作用すると、透明カバー面が塑性変形するおそれがあった。
【０００６】
特に、透明カバー面が表示面に向かって湾曲するように反っている場合には、カバー部材にかかる応力が強くなり、塑性変形しやすくなっていた。
【０００７】
そこで、この発明は、カバー部材が塑性変形することを防止できる表示装置を提供することを課題としている。
【課題を解決するための手段】
【０００８】
上記課題を解決するために、この発明に係る表示装置は、表示面を有すると共に該表示面の周縁部に複数の係合部が設けられた表示器本体と、前記表示面を覆う透明カバー面を有すると共に該透明カバー面の周縁部に前記複数の係合部のそれぞれに係合する複数の係合ツメが設けられたカバー部材とを備え、前記複数の係合ツメは、それぞれ前記透明カバー面の前記周縁部から前記表示器本体に向かって延在したツメ本体と、該ツメ本体の先端部からこのツメ本体の延在方向と直交する方向に突出した突出部とを有し、一方、前記複数の係合部は、それぞれ前記係合ツメの延在方向に直交する方向に沿って立設し、且つ互いに対向する第一、第二当接面を有し、この第一、第二当接面間に前記突出部が入り込んだ際に、該記第一、第二当接面の少なくともどちらか一方が前記係合ツメの延在方向に沿って弾性変形して前記突出部を狭持し、前記ツメ本体に応力が作用しない状態で前記係合ツメと前記係合部とが係合することを特徴としている。
【発明の効果】
【０００９】
この発明によれば、表示器本体に設けられた係合部が係合ツメの延在方向と直交する方向に沿って立設し、且つ互いに対向する第一、第二当接面を有しており、この第一、第二当接面間に入り込んだ係合ツメの突出部を第一、第二当接面の少なくとも一方が弾性変形することで狭持する。
【００１０】
そのため、係合ツメのツメ本体が変形しないため、このツメ本体に応力が作用しない状態で係合ツメと係合部とが係合することとなる。
【００１１】
これにより、カバー部材のカバー面に応力が作用することがなくなり、気温変化等に伴う熱応力がカバー部材に作用しても、このカバー部材が塑性変形することを防止できる。
【発明を実施するための最良の形態】
【００１２】
本発明に係る表示装置の最良の実施の形態について、図面に基づいて説明する。
【００１３】
図１に示す表示装置１は、車両のインストルメントパネルに取り付けられる車速メータ等であり、表示器本体２と、この表示器本体２の前面を覆うカバー部材１０とを備えている。
【００１４】
表示器本体２は、ハウジング３と、このハウジング３内に収容される表示システム４とを有している。
【００１５】
ハウジング３は、前面側に開放した箱状のリアハウジング３ａと、このリアハウジング３ａの開放端３ｃ側に取り付けられる反射部材３ｄと、この反射部材３ｄの前面側に位置すると共に両端が開放した筒状のフロントハウジング３ｂとを有している。
【００１６】
ここで、フロントハウジング３ｂは、後述する表示面を取り囲むものであり、先端部３ｅには透明板部材５が嵌着されている。また、この先端部３ｅの先端下部３ｅ１は、先端上部３ｅ２よりも前方側に突出しており、この先端上部３ｅ２がリアハウジング３ａ側に向かって傾いている。
【００１７】
さらに、このフロントハウジング３ｂの先端下部３ｅ１及び先端上部３ｅ２には、カバー部材１０の後述する係合ツメ１２が係合する一対の係合部２０，２０がそれぞれ形成されている。なお、ここで、フロントハウジング３ｂが表示面を取り囲んでいるので、この係合部２０が表示面の周縁部に位置することとなる。
【００１８】
各係合部２０は、図２に示すように、係合ツメ１２が挿入される開口部２１と、係合ツメ１２の延在方向と直交する方向に立設し、且つ互いに対向する第一当接面２２、第二当接面２３とを有している。ここで「係合ツメ１２の延在方向」とは、表示装置１の前後に沿った方向である。
【００１９】
そして、第一当接面２２は、フロントハウジング３ｂの周面壁３ｆの外方に位置する外側壁２４の背面であり、表示装置１の後方に面している。なお、外側壁２４は、周面壁３ｆから立設した支持壁３ｆ´により支持されている。
【００２０】
また、第二当接面２３は、フロントハウジング３ｂの周面壁３ｆから立設した背面壁２５の前面であり、表示装置１の前方に面している。この背面壁２５は、先端部２５ａが自由端となっており、基部２５ｂを中心にして係合ツメ１２の延在方向である表示装置１の前後方向に沿って弾性変形可能となっている。
【００２１】
さらに、ここでは、第一当接面２２の方が第二当接面２３よりも前側（表示装置１の前面側）に位置している。また、この第一、第二当接面２２，２３の間には、係合ツメ１２の突出部１４が侵入可能な間隔があいている。
【００２２】
一方、表示システム４は、基板６と、この基板６の前面６ａ側に配置された表示板７と、表示板７の前面７ａ側で回動する指針８とを有している。
【００２３】
基板６は、リアハウジング３ａと反射部材３ｄとの間に狭持されるプリント基板（プリント配線板）であり、背面６ｂ側に指針８を回動させるムーブメント８ａが実装されている。
【００２４】
また、表示板７は、目盛りや数字等からなる指標部（図示せず）が前面７ａ側に形成されると共に、ムーブメント８ａの出力軸８ｂが貫通する貫通孔が形成されている。
【００２５】
そして、指針８は、表示板７の貫通孔７ｂから突出した出力軸８ｂの先端に固定され、表示板７に沿って延びている。これにより、この指針８はムーブメント８ａによって回動する出力軸８ｂと一体的に回動し、表示板７に形成された指標部（図示せず）を適宜指示する。すなわち、この表示板７に形成された指標部と、指針８とにより表示面が形成される。
【００２６】
そして、カバー部材１０は、無色透明のアクリル等により形成されており、上記表示面に対向する平板状のカバー面部（透明カバー面）１１と、このカバー面部１１の周縁部に形成された一対の係合ツメ１２，１２とを有している。
【００２７】
カバー面部１１は、フロントハウジング３ｂの先端部３ｅに沿うものであり、上部がリアハウジング３ａ側に向かって傾くと共に、中央部付近がへこむように湾曲している。なお、このカバー面部１１は、フロントハウジング３ｂの先端部３ｅに嵌着された透明部材５との間に所定間隔をあけて配置されている。
【００２８】
係合ツメ１２は、一対の係合部２０，２０のそれぞれに係合するものであり、カバー面部１１の周縁部１１ａから表示器本体２に向かって延在したツメ本体１３と、このツメ本体１３の先端部から突出した突出部１４とを有している。
【００２９】
ツメ本体１３は、突出部１４が設けられた先端部が自由端となっており、基部を中心にして表示装置１の内外方向に弾性変形可能となっている。
【００３０】
また、突出部１４はツメ本体１３の延在方向と直交する方向に沿って、ここでは外方に向かって突出しており、先端先細り形状を呈している。
【００３１】
次に、本発明に係る表示装置１の作用を説明する。
【００３２】
この表示装置１を組み立てるには、まず表示器本体２をあらかじめ組み立てる。なお、この表示器本体２の組立手順については公知であるので説明を省略する。
【００３３】
その後、組み立てられた表示器本体２にカバー部材１０を組み付ける。
【００３４】
このカバー部材１０を組み付けるには、まず、表示器本体２の表示面と、カバー部材１０のカバー面部１１とを対向させると共に、各係合部２０と各係合ツメ１２とがそれぞれ対向するように位置決めする。
【００３５】
そして、図３（ａ）に示すように、カバー部材１０の係合ツメ１２を係合部２０の開口部２１に挿入する。なお、このときの挿入方向は矢印Ｘで示す方向である。
【００３６】
係合ツメ１２は先端部に形成された突起部１４から開口部２１内に挿入される。ここで、突起部１４が先細り形状を呈しているため、この突起部１４が開口部２１に引っかかることなく円滑に挿入することが可能となっている。
【００３７】
そして、開口部２１内に挿入された係合ツメ１２は、図３（ｂ）に示すように、外側壁２４に摺接しながら表示装置１の後方に向かって押し込まれる。なお、このとき、係合ツメ１２のツメ本体１３は基部を中心にして表示装置１の内側、すなわちフロントハウジング３ｂの周面壁３ｆに向かって僅かに撓んだ状態となる。
【００３８】
さらに、係合ツメ１２を押し込んでいくと、この係合ツメ１２の先端部が背面壁２５の前面である第二当接面２３に当接する。
【００３９】
そして、図３（ｃ）に示すように、背面壁２５は、係合ツメ１２の当接力により基部２５ｂを中心に先端２５ａが表示装置１の後方に向かって回動するように弾性変形し、第一当接面２２と第二当接面２３との間隔が広がる。
【００４０】
これにより、係合ツメ１２の突出部１４がこの第一、第二当接面２２，２３間に入り込み、同時に外側壁２４に摺接することで表示装置１の内側に向かって撓んでいたツメ本体１３の撓みが戻る。
【００４１】
ここで、背面壁２５の変形は基部２５ｂを中心にした係合ツメ１２の延在方向に沿う弾性変形であるので、この背面壁２５には先端部２５ａが表示装置１の前方に向かう応力が作用する。そのため、第一、第二当接面２２，２３間に入り込んだ突出部１４は、第一、第二当接面２２，２３により狭持され、係合部２０と係合ツメ１２とが互いに係合することとなる（図２参照）。
【００４２】
またこのとき、ツメ本体１３の撓みは戻っており、係合ツメ１２は弾性変形せず、爪本体１３に応力が作用していない状態で第一、第二当接面２２，２３間に狭持される。そのため、カバー部材１０のカバー面部１１に応力が作用することがなくなり、このカバー部材１０に気温変化等に伴う熱応力が作用しても、塑性変形してしまうことを防止することができる。
【００４３】
なお、ここでは、図２（ｂ）に示すように、突起部１４の基部１４ａは第一当接面２２に接触しておらず、係合ツメ１２と外側壁２４との間に僅かな隙間Ｓが空いている。そのため、ツメ本体１３には弾性変形力が全く作用していない。
【００４４】
さらに、上述の実施の形態では、前面が第二当接面２３となった背面壁２５が、基部２５ａを中心に先端２５ａが前後方向に沿って弾性変形可能となっており、第一、第二当接面２２，２３間に突出部１４を狭持する際に、この背面壁２５が弾性変形している。
【００４５】
そのため、この背面壁２５の弾性力により、突出部１４を確実に狭持することが可能となり、カバー部材１０を安定して表示器本体２に取り付けることができる。
【００４６】
以上、この発明にかかる実施の形態を図面により詳述してきたが、具体的な構成は上述の実施の形態に限らない。この発明の要旨を逸脱しない範囲の設計の変更等はこの発明に含まれる。
【００４７】
例えば、上述の実施の形態では、第二当接面２３が弾性変形して係合ツメ１２の突起部１４を狭持しているが、第一当接面２２側が弾性変形してもよいし、第一、第二当接面２２，２３の双方がそれぞれ弾性変形してもよい。
【００４８】
この場合であっても、第一、第二当接面２２，２３間に突起部１４を確実に狭持することができ、カバー部材１０を安定して取り付けることが可能となる。
【００４９】
また、上述の実施の形態では、第一、第二当接面２２，２３間に突起部１４が狭持された状態では、係合ツメ１２と外側壁２４との間に僅かな隙間Ｓが空いているが、係合ツメ１２のツメ本体１３が弾性変形しない状態であればよい。すなわち、係合ツメ１２と外側壁２４とがゼロタッチで接触した状態であってもよい。
【図面の簡単な説明】
【００５０】
【図１】本発明に係る表示装置を示す断面図である。
【図２】（ａ）は図１におけるＡ部を示す拡大図であり、（ｂ）は図２（ａ）におけるＢ部を示す拡大図である。
【図３】表示器本体へのカバー部材の取り付け状態を示す説明図であり、（ａ）は取り付け前、（ｂ）は取り付け途中、（ｃ）は取り付け直前をそれぞれ示している。
【符号の説明】
【００５１】
１                表示装置
２                表示器本体
１０              カバー部材
１２              係合ツメ
１３              ツメ本体
１４              突出部
２０              係合部
２２              第一当接面
２３              第二当接面
【図１】
2009264816.tif 000003
【図２】
2009264816.tif 000004
【図３】
2009264816.tif 000005